(57)【要約】【課題】現在の負荷状況に対して、事故発生時の健全停電区間に対する送電の可否等の解析を行い、事故発生時への対応や、事前の系統切替などを可能にする。【解決手段】系統データベース１４を参照し、遠方監視制御装置１０から入力される配電線の負荷から、配電線に所属する各区間の負荷を区間負荷データ保存エリア１３に作成するとともに、事故発生時に事故区間以外の健全停電区間への送電手順が作成可能となる可能性のある事故発生区間を抽出１５し、解析対象系統１６とする。この各区間に対して、区間負荷データ保存エリア１３の区間負荷データに基づいて、電圧条件と電流条件を満たした送電手順の作成可否を解析１７し、その解析結果を表示装置２０に表示する。【選択図】図１
2006333699.tif 000002
【特許請求の範囲】
【請求項１】
配電系統を構成する各機器の容量や接続状態を記憶する系統データベースと、
配電系統上に存在する高調波発生機器を有する顧客の高調波関連機器情報を記憶する顧客高調波関連機器情報データベースと、
前記系統データベースの系統構成データ及び前記顧客高調波関連機器情報データベースの高調波関連機器データに従って、遠方監視制御装置から入力される配電線の高調波測定値から、配電線に所属する各区間の区間毎高調波情報データを作成する区間毎高調波情報作成手段と、
前記区間毎高調波情報データと前記系統データベース及び前記顧客高調波関連機器情報データベースとから、系統データベースに記憶される各区間の現在の高調波情報を解析する高調波解析手段と、
この高調波解析手段により作成された解析結果データを表示装置に表示する解析結果表示手段とを備えることを特徴とする配電系統監視装置。
【請求項２】
配電系統を構成する各機器の容量や接続状態を記憶する系統データベースと、
この系統データベースの系統構成データに従って、遠方監視制御装置から入力される配電線の負荷から、当該配電線に所属する各区間の負荷を区間負荷データとして作成する区間負荷作成手段と、
遠方監視制御装置から入力される配電線に所属する主要区間の電圧を記憶する区間電圧データベースと、
前記系統データベースの系統構成データと前記区間負荷データに従って、前記区間電圧データベースの区間電圧データから、現在の区間電圧を解析する区間電圧解析手段と、
この区間電圧解析手段の区間電圧解析データを表示装置に表示する区間電圧解析表示手段とを備えることを特徴とする配電系統監視装置。
【請求項３】
配電系統を構成する各機器の容量や接続状態を記憶する系統データベースと、
この系統データベースの系統構成データに従って、遠方監視制御装置から入力される配電線の負荷から、当該配電線に所属する各区間の負荷、各開閉器の通過電流を負荷データとして保存する負荷データ保存手段と、
この負荷データと系統データベースをもとに各機器の負荷状態を解析し、解析結果データとして保存する負荷解析手段と、
この解析結果データを表示装置に表示する負荷状態表示手段を有し、現在の系統の負荷に対する各機器の電気的な容量の余裕度を常に表示することを特徴とする配電系統監視装置。
【請求項４】
配電系統を構成する各機器の容量や接続状態を記憶する系統データベースと、
この系統データベースの系統構成データに従って、遠方監視制御装置から入力される配電線の負荷から、当該配電線に所属する各区間の負荷を区間負荷データとして作成する区間負荷作成手段と、
配電系統において樹枝状に配置されている連系開閉器のない枝区間群とこの枝区間群への送電手順が作成不可となる事故発生区間を抽出する解析対象系統抽出手段と、
各枝区間群の区間負荷データがある一定の基準を定めた負荷量以上となり、事故発生時に重大な供給支障となるかどうかを判定し、解析結果データに保存する系統解析手段と、
解析結果データを表示装置に表示する解析結果表示手段とを備えることを特徴とする配電系統監視装置。
【請求項５】
配電系統を構成する各機器の容量や接続状態を記憶する系統データベースと、
この系統データベースの系統構成データに従って、遠方監視制御装置から入力される配電線の負荷から、当該配電線に所属する各区間の負荷を区間負荷データとして作成する区間負荷作成手段と、
想定した事故発生区間を表示装置より操作員が任意に設定し、事故区間設定データに保存する事故区間設定手段と、
配電系統において樹枝状に配置されている連系開閉器のない枝区間群を抽出する解析対象系統抽出手段と、
各枝区間群の区間負荷データがある一定の基準を定めた負荷量以上となり、事故区間設定データの想定した事故区間で事故が発生した場合に重大な供給支障となるかどうかを判定し、解析結果データに保存する系統解析手段と、
解析結果データを表示装置に表示する解析結果表示手段とを備えることを特徴とする配電系統監視装置。
【請求項６】
配電系統を構成する各機器の容量や接続状態を記憶する系統データベースと、
この系統データベースより各配電線同士を連系する標準状態で切状態の連系開閉器を抽出し、抽出された連系開閉器の両端区間に供給する配電線を検索し、各配電線の所属バンクの上位系統から、各配電線の連系開閉器毎に当該連系開閉器が異バンクとの連系開閉器かどうかをチェックし、解析結果データに保存する系統解析手段と、
この解析結果データを表示装置に表示する解析結果表示手段を有し、配電系統の標準的な運用において、連系開閉器の両側の供給設備が異系統か同系統かを常に表示することを特徴とする配電系統監視装置。
【請求項７】
配電系統を構成する各機器の容量や接続状態を記憶する系統データベースと、
表示装置より操作員が任意に設定した連系開閉器を系統解析手段に指定する連系開閉器設定手段と、
指定された開閉器の両端区間を供給する配電線を検索し、各配電線の所属バンクの上位系統から、各配電線の連系開閉器毎に当該連系開閉器が異バンクとの連系開閉器かどうかをチェックし解析結果データに保存する系統解析手段と、
解析結果データを表示装置に表示する解析結果表示手段とを備えることを特徴とする配電系統監視装置。
【請求項８】
遠方監視制御装置から入力される開閉器情報から、開閉器現在入切状態データを作成し記憶する開閉器現在入切状態作成手段と、
配電系統を構成する各機器の容量や接続状態を記憶する系統データベースと、
この系統データベースと前記開閉器現在入切状態データより各配電線同士を連系する現在切状態の開閉器を抽出し、その開閉器の両端区間を供給する各配電線の所属バンクの上位系統を検索し、各配電線の連系開閉器毎に当該連系開閉器が異バンクとの連系開閉器かどうかをチェックし、解析結果データに保存する系統解析手段と、
解析結果データを表示装置に表示する解析結果表示手段とを備えることを特徴とする配電系統監視装置。
【請求項９】
遠方監視制御装置から入力される開閉器情報から、開閉器現在入切状態データを作成し記憶する開閉器現在入切状態作成手段と、
配電系統を構成する各機器の容量や接続状態を記憶する系統データベースと、
表示装置より操作員が任意に設定した連系開閉器を系統解析手段に指定する連系開閉器設定手段と、
指定された連系開閉器の両端区間を供給する各配電線の所属バンクの上位系統を検索し、各配電線の連系開閉器毎に当該連系開閉器が異バンクとの連系開閉器かどうかをチェックし、解析結果データに保存する系統解析手段と、
解析結果データを表示装置に表示する解析結果表示手段とを備えることを特徴とする配電系統監視装置。
【発明の詳細な説明】
【技術分野】
【０００１】
本発明は、配電系統の監視を行う配電系統監視装置に関する。
【背景技術】
【０００２】
配電系統の監視は、従来から遠方監視制御装置と組み合わされて行われてきている。図３７は、従来の配電系統監視装置の構成図を示すものであり、遠方監視制御装置１０から入力される配電線の電圧、電流などの監視情報に基づき、現在の系統状態を監視していた。すなわち、遠方監視制御装置１０から入力される配電線の電圧、電流などの監視情報と、系統データベース１１からの配電系統構成、各区間の契約負荷などの情報に基づいて、区間負荷作成手段１２で区間負荷データを作成し、区間負荷データ保存エリア１３に保存する。そして、系統監視手段３７１により、人間系に分かる形に翻訳し、解析結果表示手段１９を介して表示装置２０に表示していた。
【０００３】
しかし、その監視情報に対する解析は、配電系統を構成する各機器の容量超過程度の簡単なものであり、又、各機器の電流超過に関しては、電流値を取り込んだ時点で超過していないかの監視を行なっていた。
【０００４】
又、配電系統の高調波監視において、遠方監視制御装置１０から入力されるデータにより、高調波計測値のみを監視していた。又、配電系統の電圧監視においては、遠方監視制御装置１０から入力されるデータにより、配電線の送出し電圧のみ監視していた。
【発明の開示】
【発明が解決しようとする課題】
【０００５】
従来の配電系統監視装置１１においては、遠方監視制御装置１０からの情報に対する解析は、配電系統の各機器の容量超過程度の簡単なものであった為、現在負荷に対する系統の強度、すなわち、事故発生時の健全停電区間に対する送電の可否等の解析を行えないでいた。そのため、台風等の大災害時の人的配置や、事前の系統切替などは、人間系の直観的な判断に委ねられていた。
【０００６】
又、従来は電流超過時点あるいは、融通計算時点で各機器の電流超過のチェックを行っており、その時点にならないと電流超過に関しては、状況が判断できなかった。そのため、事前に電流超過の予測に対する対策を行うことができなかった。
【０００７】
又、配電系統の高調波監視、配電系統の電圧監視は、遠方監視制御装置１０から入力されるデータにより高調波計測値のみの監視、配電線の送出し電圧のみの監視に留まっており、計測結果のみの実態把握的な管理を行っていた。このため、高調波発生機器を有する顧客情報と関連を持たせた解析は行えず、また、現在の区間電圧解析、末端電圧降下及びフェランチ効果による電圧上昇の解析は行えず、これらの関連付けは人間系の判断に委ねられていた。
【０００８】
このような点に鑑みて、本発明は、現在の負荷状況に対して、事故発生時の健全停電区間に対する送電の可否等の解析を行い、事故発生時への対応や、事前の系統切替などを可能にするとともに、高調波発生機器を有する顧客情報と関連を持たせた解析、現在の区間電圧解析、末端電圧降下及びフェランチ効果による電圧上昇の解析などを、系統構成と関連づけて行い、的確な指示を行える配電系統監視装置を提供することを目的とする。
【課題を解決するための手段】
【０００９】
本発明の請求項１に係る配電系統監視装置は、配電系統を構成する各機器の容量や接続状態を記憶する系統データベースと、配電系統上に存在する高調波発生機器を有する顧客の高調波関連機器情報を記憶する顧客高調波関連機器情報データベースと、前記系統データベースの系統構成データ及び前記顧客高調波関連機器情報データベースの高調波関連機器データに従って、遠方監視制御装置から入力される配電線の高調波測定値から、配電線に所属する各区間の区間毎高調波情報データを作成する区間毎高調波情報作成手段と、前記区間毎高調波情報データと前記系統データベース及び前記顧客高調波関連機器情報データベースとから、系統データベースに記憶される各区間の現在の高調波情報を解析する高調波解析手段と、この高調波解析手段により作成された解析結果データを表示装置に表示する解析結果表示手段とを備えることを特徴とする。
【００１０】
この配電系統監視装置によれば、区間毎高調波情報作成手段は、遠方監視制御装置から定周期に入力される各配電線の高調波測定値データを受け取り、系統データベースおよび顧客高調波関連機器情報データベースを参照し、区間毎の高調波情報を区間毎高調波情報データに保存する。そして、高調波解析手段により、区間毎高調波情報データを、系統データベースに記憶される各区間の現在の系統構成上定まる高調波基準値と比較し、運用上の基準値の範囲内か判断し、この解析結果データを解析結果データ保存エリア１８に保存し、これを表示装置に表示する。従って、配電系統の高調波監視において、遠方監視制御装置から入力されるデータにより、単に高調波計測値のみを監視するのでなく、系統構成と高調波発生機器を有する顧客情報との関連を持たせた解析を行い、その解析結果に基づいて的確な対処を取ることができる。
【００１１】
本発明の請求項２に係る配電系統監視装置は、配電系統を構成する各機器の容量や接続状態を記憶する系統データベースと、この系統データベースの系統構成データに従って、遠方監視制御装置から入力される配電線の負荷から、当該配電線に所属する各区間の負荷を区間負荷データとして作成する区間負荷作成手段と、遠方監視制御装置から入力される配電線に所属する主要区間の電圧を記憶する区間電圧データベースと、前記系統データベースの系統構成データと前記区間負荷データに従って、前記区間電圧データベースの区間電圧データから、現在の区間電圧を解析する区間電圧解析手段と、この区間電圧解析手段の区間電圧解析データを表示装置に表示する区間電圧解析表示手段とを備えることを特徴とする。
【００１２】
この配電系統監視装置によれば、系統データベースを参照し、遠方監視制御装置から入力される配電線の負荷から、配電線に所属する各区間の負荷を区間負荷データとして作成する一方、遠方監視制御装置から入力される配電線に所属する主要区間の電圧データを得る。そして、系統データベースの系統構成と区間電圧作成手段の区間電圧データから、現在の各区間電圧を解析し、表示装置に表示する。従って、遠方監視制御装置から入力されるデータによる電圧監視のみでなく、現在の負荷状況、主要点の電圧、系統構成をも考慮して、各区間の電圧を運用基準電圧と比較監視することが出来、配電系統の監視、運用に極めて有効である。
【００１３】
本発明の請求項３に係る配電系統監視装置は、配電系統を構成する各機器の容量や接続状態を記憶する系統データベースと、この系統データベースの系統構成データに従って、遠方監視制御装置から入力される配電線の負荷から、当該配電線に所属する各区間の負荷、各開閉器の通過電流を負荷データとして保存する負荷データ保存手段と、この負荷データと系統データベースをもとに各機器の負荷状態を解析し、解析結果データとして保存する負荷解析手段と、この解析結果データを表示装置に表示する負荷状態表示手段を有し、現在の系統の負荷に対する各機器の電気的な容量の余裕度を常に表示することを特徴とする。
【００１４】
この配電系統監視装置によれば、系統データベースを参照し、遠方監視制御装置から入力される配電線の負荷から当該配電線に所属する各区間の負荷、各開閉器の通過電流を負荷データとして保存し、この負荷データと系統データベースをもとに各機器の負荷状態を解析し、解析結果データに予備力（＝許容負荷値−現在負荷値）を得、現在の系統の負荷に対する各機器の電気的な容量の余裕度を常に表示する。従って、遠方監視制御装置から入力されるデータによる監視のみでなく、現在の負荷状況と系統構成をも考慮して予備力を的確に把握することができるから、配電系統の監視、運用に極めて有効である。
【００１５】
本発明の請求項４に係る配電系統監視装置は、配電系統を構成する各機器の容量や接続状態を記憶する系統データベースと、この系統データベースの系統構成データに従って、遠方監視制御装置から入力される配電線の負荷から、当該配電線に所属する各区間の負荷を区間負荷データとして作成する区間負荷作成手段と、配電系統において樹枝状に配置されている連系開閉器のない枝区間群とこの枝区間群への送電手順が作成不可となる事故発生区間を抽出する解析対象系統抽出手段と、各枝区間群の区間負荷データがある一定の基準を定めた負荷量以上となり、事故発生時に重大な供給支障となるかどうかを判定し、解析結果データに保存する系統解析手段と、解析結果データを表示装置に表示する解析結果表示手段とを備えることを特徴とする。
【００１６】
この配電系統監視装置によれば、系統データベースを参照し、遠方監視制御装置から入力される配電線の負荷から、配電線に所属する各区間の負荷を区間負荷データとして作成し、配電系統において連系開閉器のない枝区間群とこの枝区間群への送電手順が作成不可となる事故発生区間を抽出する。この解析対象系統抽出手段により抽出された区間を記憶し、記憶された連系開閉器の無い枝区間群に対して、区間負荷データの区間負荷がある一定の基準を定めた負荷量以上となり、事故発生時に重大な供給支障となるかどうかを解析する。この解析結果データを表示装置に表示する解析結果表示手段を有している。従って、配電系統運用上、連系開閉器が無い枝区間群において一定の負荷以上になる場合、事故発生により送電出来なくなる枝区間群と事故区間を表示するから、現在の負荷状況と系統構成をも考慮して予備力を的確に把握することができるから、配電系統の監視、運用に極めて有効である。
【００１７】
本発明の請求項５に係る配電系統監視装置は、配電系統を構成する各機器の容量や接続状態を記憶する系統データベースと、この系統データベースの系統構成データに従って、遠方監視制御装置から入力される配電線の負荷から、当該配電線に所属する各区間の負荷を区間負荷データとして作成する区間負荷作成手段と、想定した事故発生区間を表示装置より操作員が任意に設定し、事故区間設定データに保存する事故区間設定手段と、配電系統において樹枝状に配置されている連系開閉器のない枝区間群を抽出する解析対象系統抽出手段と、各枝区間群の区間負荷データがある一定の基準を定めた負荷量以上となり、事故区間設定データの想定した事故区間で事故が発生した場合に重大な供給支障となるかどうかを判定し、解析結果データに保存する系統解析手段と、解析結果データを表示装置に表示する解析結果表示手段とを備えることを特徴とする。
【００１８】
この配電系統監視装置によれば、系統データベースを参照し、遠方監視制御装置から入力される配電線の負荷から、配電線に所属する各区間の負荷を区間負荷データとして作成し、想定した事故発生区間を表示装置よりオペレータが任意に設定し、事故区間設定データに保存すると共に、連系開閉器のない枝区間群を抽出する。そして、連系開閉器の無い枝区間群に対して、区間負荷データの区間負荷がある一定の基準を定めた負荷量以上となり、事故発生時に重大な供給支障となるかどうかを判定し、解析結果データに保存し、表示装置に表示する。従って、オペレータが任意に設定した事故区間に基づいて、連系開閉器が無い枝区間群において一定の負荷以上になる場合、事故発生により送電出来なくなる枝区間群と事故区間を表示するから、現在の負荷状況と系統構成をも考慮して予備力を的確に把握することができ、配電系統の監視、運用に極めて有効である。
【００１９】
本発明の請求項６に係る配電系統監視装置は、配電系統を構成する各機器の容量や接続状態を記憶する系統データベースと、この系統データベースより各配電線同士を連系する標準状態で切状態の連系開閉器を抽出し、抽出された連系開閉器の両端区間に供給する配電線を検索し、各配電線の所属バンクの上位系統から、各配電線の連系開閉器毎に当該連系開閉器が異バンクとの連系開閉器かどうかをチェックし、解析結果データに保存する系統解析手段と、この解析結果データを表示装置に表示する解析結果表示手段を有し、配電系統の標準的な運用において、連系開閉器の両側の供給設備が異系統か同系統かを常に表示することを特徴とする。
【００２０】
この配電系統監視装置によれば、系統データベースより各配電線同士を連系する標準状態で切状態の連系開閉器を抽出し、その連系開閉器の両端区間を供給する各配電線の所属バンクの上位系統を検索し、各配電線の連系開閉器毎に当該連系開閉器が異バンク間の連系開閉器かどうかをチェックし、解析結果データに保存する。そして、この解析結果データに基づいて、各連系開閉器が異バンク間のものであるかどうかを表示装置に表示する。従って、常時は開放されている連系開閉器の投入時の影響を把握することができ、配電系統の監視、運用に極めて有効である。
【００２１】
本発明の請求項７に係る配電系統監視装置は、配電系統を構成する各機器の容量や接続状態を記憶する系統データベースと、表示装置より操作員が任意に設定した連系開閉器を系統解析手段に指定する連系開閉器設定手段と、指定された開閉器の両端区間を供給する配電線を検索し、各配電線の所属バンクの上位系統から、各配電線の連系開閉器毎に当該連系開閉器が異バンクとの連系開閉器かどうかをチェックし解析結果データに保存する系統解析手段と、解析結果データを表示装置に表示する解析結果表示手段とを有している。
【００２２】
この配電系統監視装置によれば、オペレータが表示装置から設定した連系開閉器を連系開閉器設定データに保存する。系統データベースより各配電線同士を連系する標準状態で切状態の連系開閉器を抽出し、その抽出した連系開閉器と連系開閉器設定データに保存された連系開閉器が同一なとき、連系開閉器の両端区間を供給する各配電線の所属バンクの上位系統を検索し、各配電線の連系開閉器毎に当該連系開閉器が異バンクとの連系開閉器かどうかをチェックし、解析結果データに保存する。そしてこの解析結果データに基づいて、各連系開閉器が異バンク間のものであるかどうかを表示装置２０に表示するから、常時は開放されている連系開閉器の投入時の影響を把握することができ、配電系統の監視、運用に極めて有効である。
【００２３】
本発明の請求項８に係る配電系統監視装置は、遠方監視制御装置から入力される開閉器情報から、開閉器現在入切状態データを作成し記憶する開閉器現在入切状態作成手段と、配電系統を構成する各機器の容量や接続状態を記憶する系統データベースと、この系統データベースと前記開閉器現在入切状態データより各配電線同士を連系する現在切状態の開閉器を抽出し、その開閉器の両端区間を供給する各配電線の所属バンクの上位系統を検索し、各配電線の連系開閉器毎に当該連系開閉器が異バンクとの連系開閉器かどうかをチェックし、解析結果データに保存する系統解析手段と、解析結果データを表示装置に表示する解析結果表示手段とを有している。
【００２４】
この配電系統監視装置によれば、遠方監視制御装置から入力される開閉器情報から、開閉器現在入切状態データを作成し、記憶する。そして、配電系統を構成する各機器の容量や接続状態を記憶する系統データベースと開閉器現在入切状態データより各配電線同士を連系する現在切状態の連系開閉器を抽出し、その連系開閉器の両端区間に供給する各配電線の所属バンクの上位系統を検索し、各配電線の連系開閉器毎に当該連系開閉器が異バンクとの連系開閉器かどうかをチェックし、解析結果データに保存する。そして、この解析結果データに基づいて、各連系開閉器が異バンクとの連系開閉器かどうかを表示装置に表示する。従って、切状態開閉器の投入時の影響を把握することができ、配電系統の監視、運用に極めて有効である。
【００２５】
本発明の請求項９に係る配電系統監視装置は、遠方監視制御装置から入力される開閉器情報から、開閉器現在入切状態データを作成し記憶する開閉器現在入切状態作成手段と、配電系統を構成する各機器の容量や接続状態を記憶する系統データベースと、表示装置より操作員が任意に設定した連系開閉器を系統解析手段に指定する連系開閉器設定手段と、指定された連系開閉器の両端区間を供給する各配電線の所属バンクの上位系統を検索し、各配電線の連系開閉器毎に当該連系開閉器が異バンクとの連系開閉器かどうかをチェックし、解析結果データに保存する系統解析手段と、解析結果データを表示装置に表示する解析結果表示手段とを有している。
【００２６】
この配電系統監視装置によれば、遠方監視制御装置から入力される開閉器情報から、開閉器現在入切状態データを作成し記憶する。また、配電系統を構成する各機器の容量や接続状態を記憶する系統データベースと、オペレータが表示装置から設定した連系開閉器を連系開閉器設定データに保存する。そして、系統データベースと開閉器現在入切状態データより各配電線同士を連系する現在切状態の連系開閉器を抽出し、抽出した連系開閉器が連系開閉器設定データに保存されている連系開閉器と同一なとき、連系開閉器の両端区間に供給する各配電線の所属バンクの上位系統を検索し、各配電線の連系開閉器毎に当該連系開閉器が異バンクとの連系開閉器かどうかをチェックし、解析結果データに保存する。そして、この解析結果データに基づいて、各連系開閉器が異バンクとの連系開閉器かどうかを表示装置に表示する。従って、オペレータが任意に設定した、切状態開閉器の投入時の影響を把握することができ、配電系統の監視、運用に極めて有効である。
【発明の効果】
【００２７】
請求項１記載の配電系統監視装置によれば、現在の各区間の高調波情報を解析して運用基準の高調波値の範囲から逸脱する可能性のある区間と、そこに含まれる顧客高調波関連機器情報を事前に操作員に通知することが可能となり、効率的な配電線の運用が可能となる。
【００２８】
請求項２記載の配電系統監視装置によれば、現在の各区間電圧を解析して区間電圧が運用基準電圧の範囲から逸脱する可能性のある区間を事前に操作員に通知することが可能となり、効率的な配電線の運用が可能となる。
【００２９】
請求項３記載の配電系統監視装置によれば、事故発生により大規模な停電事故になる区間を操作員に事故発生以前に通知することが可能となり、台風等の大規模災害時の効率的な人的配置や、効率的な設備増強工事の設計の支援が可能となる。
【００３０】
請求項４記載の配電系統監視装置によれば、事故発生により大規模な停電事故になる枝区間群と、事故発生区間を操作員に事故発生以前に通知することが可能となり、台風等の大規模災害時の効率的な人的配置や、効率的な設備増強工事の設計の支援が可能となる。
【００３１】
請求項５記載の配電系統監視装置によれば、操作員が任意に設定した事故区間での事故発生により大規模な停電事故になる枝区間群を事前に確認することが出来る。これにより事故発生時の重要な枝区間群への効率的な人的配置や、効率的な設備増強工事の設計の支援が可能となる。
【００３２】
請求項６記載の配電系統監視装置によれば、配電系統の標準的な運用において、連系開閉器の両側の供給設備が異系統か同系統かを表示することにより、効率的な設備増強工事の設計の支援が可能となる。
【００３３】
請求項７記載の配電系統監視装置によれば、配電系統の標準的な運用において、操作員が任意に設定した連系開閉器の両側の供給設備が異系統か同系統かを表示することにより、効率的な設備増強工事の設計の支援が可能となる。
【００３４】
請求項８記載の配電系統監視装置によれば、現在の系統状態における配電線間の連系が同系統か異系統かの接続状態が分かるため、台風等の大規模災害時の効率的な人的配置や、効率的な設備増強工事の設計の支援が可能となる。
【００３５】
請求項９記載の配電系統監視装置によれば、現在の系統状態において、操作員が任意に設定した連系開閉器の両配電線間の連系が同系統か異系統かの接続状態が分かるため、台風等の大規模災害時の効率的な人的配置や、効率的な設備増強工事の設計の支援が可能となる。
【発明を実施するための最良の形態】
【００３６】
以下、本発明の実施例について、図を参照して説明する。
【００３７】
図１は本発明の第１の実施例に係る配電系統監視装置１１の構成図である。図１の配電系統監視装置１１は、配電系統を構成する変電所，バンク，配電線，高圧線，開閉器，電圧調整器等の各機器の容量や接続状態を記憶する系統データベース１４と、この系統データベース１４を参照し、遠方監視制御装置１０から入力される配電線の負荷から、配電線に所属する各区間の負荷を区間負荷データ保存エリア１３に作成する区間負荷作成手段１２と、事故発生時に、機器の切替操作により事故区間以外の健全停電区間への送電手順が作成可能となる可能性のある事故発生区間を抽出する解析対象系統抽出手段１５と、この解析対象系統抽出手段１５により抽出された区間を記憶する解析対象系統データベース１６と、この解析対象系統データベース１６に記憶される各区間に対して、前記区間負荷作成手段１２により作成された区間負荷に基づいて、電圧条件と電流条件を満たした送電手順の作成可否を解析し、その解析結果を解析結果データ保存エリア１８に保存する系統解析手段１７と、前記解析結果データ保存エリア１８の解析結果データを表示装置２０に表示する解析結果表示手段１９を有している。
【００３８】
なお、区間負荷データ保存エリア１３は、区間負荷データを記憶する手段を意味し、また解析結果データ保存エリア１８は解析結果データを記憶する手段を意味する。この表現方法は、本実施例に限らず他の実施例においても同様であり、本明細書を通して同様に使用される。
【００３９】
そして、区間負荷作成手段１２は、遠方監視制御装置１０から定周期に入力される各配電線の負荷データを受け取る。そして、区間負荷作成手段１２は、系統データベース１４を参照し、当該配電線に所属する区間の標準負荷を取り出し、配電線の負荷データをその標準負荷で按分し、区間負荷データ保存エリア１３に保存する。
【００４０】
解析対象系統抽出手段１５は、解析対象となる区間を抽出し、解析対象系統データベース１６に保存する。ここで、解析対象となる区間とは、系統上で複数の供給経路を取りうる区間であり、系統上で連系点の無い行きっぱなしの枝状の区間を除いた区間群のこと、つまり複数の供給経路を取り得る区間のことを意味する。
【００４１】
その解析対象とする系統の概念図を図２に示す。この図において、ＦＣＢは配電線の給電遮断器であり、この給電遮断器ＦＣＢの負荷データ（電圧、電流など）が計測されて遠方監視制御装置１０から配電系統監視装置１１に送られる。図中、ＳＷ１〜ＳＷ８は常閉型の区分開閉器であり、ＳＷｔ１は他回線との連系用に設けられている常開型の区分開閉器である。そしてこの図において、太線で示す区間が解析対象区間（すなわち、系統上で複数の供給経路を取りうる区間）であり、細線で示す区間が解析対象外の区間（系統上で連系点の無い行きっぱなしの枝状の区間）である。
【００４２】
解析対象区間の抽出アルゴリズムが図３に示されており、まず、配電線リストアップ処理Ｓ３０１で、系統データベース１４に含まれる全系統の配電線を求める。
【００４３】
そのリストアップされた全ての配電線について、順次以下の処理を繰り返す（Ｓ３０２）。
【００４４】
すなわち、全連系開閉器リストアップ処理Ｓ３０３では、当該配電線の連系開閉器を系統データベース１４から求める。図４にそのアルゴリズムを示す。系統データベース１４から、当該配電線の給電遮断器ＦＣＢを求め（Ｓ４０１）、この給電遮断器ＦＣＢの負荷側区間を求める（Ｓ４０２）。その後、負荷側区間が無くなるまで（Ｓ４０３）、次の処理を繰り返す。区間の負荷側開閉器を求め（Ｓ４０４）、この負荷側開閉器が連系開閉器ＳＷｔ１ならば、連系開閉器ＳＷｔ１として格納し（Ｓ４０５）、そうでなければ次の検索先である負荷側開閉器の負荷側区間を求める（Ｓ４０６）。このようにして、全連系開閉器ＳＷｔをリストアップする。
【００４５】
次に、連系開閉器ＳＷｔが求まった後、各連系開閉器毎に供給経路検索処理（Ｓ３０４）を行い、供給経路上にある区間群をリストアップし、解析対象の区間として解析対象系統データベース１６に保存する（Ｓ３０５）。
【００４６】
次に、系統解析手段１７は、解析対象系統データベース１６に保存された区間群に対して、図５に示すアルゴリズムで、事故発生時の供給手順の作成可否を解析する。すなわち、解析対象系統データベース１６に保存される全区間に対して、以下の処理を行う（Ｓ５０１）。当該解析対象区間を、仮に事故区間に設定し、その負荷側を停電区間とした系統状態を作成し（Ｓ５０２）、融通手順を作成する（Ｓ５０３）。この融通手順の作成処理については、図１０５に融通手順作成処理の入出力の概念図で示すように、この系統状態データ保存エリア６１と、区間負荷データ保存エリア１３及び系統データベース１４とを参照して、融通のための手順作成処理１０５２を施して、融通手順結果を得る（１０５３）。このようにして得られた融通手順結果を保存する（Ｓ５０４）。なお、融通のための手順作成処理１０５２としては、種々の手法が採用できるが、例えば特開平５−１９９６５６号公報、特開平６−１８９４５４号公報などに開示されている手法にて、行うことができる。
【００４７】
この融通手順の作成処理の結果から融通手順の作成可否が判明する。この事故発生時の供給手順の作成可否が、系統の強さ、弱さを示すことになる。
【００４８】
この解析結果を知らしめるために、解析結果表示手段１９は、解析結果データ保存エリア１８の解析結果データを表示装置２０に表形式で表示したり、また、系統データベース１４に含まれる地図情報を基に、融通不能が発生する区間を融通できる区間と色を変えて配電線路図上に表示する。
【００４９】
これらの配電系統監視装置の制御は、特に図示していないが、コンピュータにより達成されるものであり、そのための制御プログラムは記憶媒体に記憶される。ここで、記憶媒体としては、コンピュータに接続されるメモリや、コンピュータに内蔵される各種のメモリとすることができ、いずれもコンピュータ読み取り可能な記憶媒体を意味する。
【００５０】
この実施例によれば、系統データベース１４を参照し、遠方監視制御装置１０から入力される配電線の負荷から、配電線に所属する各区間の負荷を区間負荷データ保存エリア１３に作成するとともに、事故発生時に事故区間以外の健全停電区間への送電手順が作成可能となる可能性のある事故発生区間を抽出１５し、解析対象系統１６とする。この各区間に対して、区間負荷データ保存エリア１３の区間負荷データに基づいて、電圧条件と電流条件を満たした送電手順の作成可否を解析１７し、その解析結果を表示装置２０に表示する。従って、現在負荷に対する系統の強度、すなわち、事故発生時の健全停電区間に対する送電の可否が事前に判明するから、台風などの大災害時の人員の配置や、あるいは事前の系統切換などが行えるようになり、配電系統の監視、運用に極めて有効である。
【００５１】
図７は本発明の第２の実施例に係る配電系統監視装置１１の構成図である。図７の配電系統監視装置１１は、配電系統を構成する変電所，バンク，配電線，高圧線，開閉器，電圧調整器等の各機器の容量や接続状態を記憶する系統データベース１４と、この系統データベース１４を参照し、遠方監視制御装置１０から入力される配電線の負荷から、配電線に所属する各区間の負荷を区間負荷データ保存エリア１３に作成する区間負荷作成手段１２と、表示装置２０よりオペレータが任意に設定した事故区間を事故区間設定データ保存エリア２２に保存する事故区間設定手段２１と、事故区間設定データ保存エリア２２に記憶された事故区間に対して、前記区間負荷作成手段１２により設定した区間負荷に基づいて、電圧条件と電流条件を満たした送電手順の作成可否を解析し、その解析結果を解析結果データ保存エリア１８に保存する系統解析手段１７と、前記解析結果データ保存エリア１８の解析結果データを表示装置２０に表示する解析結果表示手段１９を有している。
【００５２】
区間負荷作成手段１２は、遠方監視制御装置１０から定周期に入力される各配電線の負荷データを受け取る。区間負荷作成手段１２は、系統データベース１４を参照し、当該配電線に所属する区間の標準負荷を取り出し、配電線の負荷データをその標準負荷で按分し、区間負荷データ保存エリア１３に保存する。事故区間設定手段２１は、表示装置２０よりオペレータが任意に設定した事故区間（任意の数の区間でよい）を事故区間設定データ保存エリア２２に保存する。系統解析手段１７は、事故区間設定データ保存エリア２２に保存された事故区間に対して、図８に示すアルゴリズムで、系統の強さ、すなわち事故発生時の供給手順の作成可否を解析する。
【００５３】
図８において、まず、事故区間設定データ保存エリア２２に保存された事故区間と、その負荷側を停電区間とした系統状態を作成する（Ｓ８０１）。この系統状態と、区間負荷データ保存エリア１３を参照して、融通手順を作成する（Ｓ８０２）。融通手順の作成方法については、前掲の特開平５−１９９６５６号公報、特開平６−１８９４５４号公報などに開示されている手法にて、またはそれと同等の機能を有する手法にて行う。
【００５４】
この融通手順の作成処理の結果、融通手順の作成可否が判明する。図９に、融通手順作成処理の入出力の概念図を示す（なお、前述の図１０５と同様であるので、説明を省略する）。その融通手順の作成処理の結果を、解析結果データ１８に保存する（Ｓ８０３）。解析結果表示手段１９は、解析結果データ保存エリア１８の解析結果データを表示装置２０に表形式で表示する。また、系統データベース１４に含まれる地図情報を元に、融通不能が発生する区間と、発生しない区間を色分けして配電線路図上に表示する。
【００５５】
この実施例によれば、系統データベース１４を参照し、遠方監視制御装置１０から入力される配電線の負荷から、配電線に所属する各区間の負荷を区間負荷データ保存エリア１３に作成する。そして、表示装置２０よりオペレータが任意に設定した事故区間を事故区間設定データ保存エリア２２に保存し、この事故区間に対して、設定した区間負荷１２に基づいて、電圧条件と電流条件を満たした送電手順の作成可否を解析１７する。その解析結果データを解析結果データ保存エリア１８に保存すると共に、表示装置２０に表示する。従って、現在負荷に対する系統の強度、すなわち、事故発生時の健全停電区間に対する送電の可否が、オペレータの意図した区間について確認できるから、この解析結果に基づいて、台風などの大災害時の人員の配置や、あるいは事前の系統切換などが行えるようになり、配電系統の監視、運用に極めて有効である。
【００５６】
図１０は本発明の第３の実施例に係る配電系統監視装置１１の構成図である。図１０において配電系統監視装置１１は、遠方監視制御装置１０と接続されており、遠方監視制御装置１０から配電線の高調波測定値が入力される。そして、配電系統を構成する変電所，バンク，配電線，高圧線，開閉器，電圧調整器等の各機器の容量や接続状態を記憶する系統データベース１４と、配電系統上に存在する高調波発生機器を有する顧客の高調波関連機器情報を記憶する顧客高調波関連機器情報データベース３３と、この系統データベース１４と顧客高調波関連機器情報データベース３３とを参照し、遠方監視制御装置１０から入力される配電線の高調波測定値から、配電線に所属する各区間の高調波測定値を区間毎高調波情報データ保存エリア３２に作成する区間毎高調波情報作成手段３１と、前記区間毎高調波情報データ保存エリア３２と前記系統データベース１４及び前記顧客高調波関連機器情報データベース３３とから、系統データベース１４に記憶される各区間の現在の高調波情報を解析する高調波解析手段３４と、この高調波解析手段３４により作成された解析結果データを表示装置２０に表示する解析結果表示手段１９とを有している。
【００５７】
区間毎高調波情報作成手段３１は、遠方監視制御装置１０から定周期に入力される各配電線の高調波測定値データを受け取り、系統データベース１４および顧客高調波関連機器情報データベース３３を参照し、区間毎の高調波情報を区間毎高調波情報データ保存エリア３２に保存する。
【００５８】
高調波解析手段３４は、区間毎高調波情報データ保存エリア３２に保存されている区間毎高調波情報データを受け、この区間毎高調波情報データを、系統データベース１４に記憶される各区間の現在の系統構成上定まる高調波基準値と比較する。そして、区間毎高調波情報データが運用上の基準値の範囲内か判断し、基準値の範囲外の場合は、解析結果データ保存エリア１８に保存する。そして、この解析結果データ保存エリア１８の解析結果データを、解析対象とする系統の概念図上に、顧客高調波関連機器情報と共に、表示装置２０に表示する。
【００５９】
この高調波解析手段３４のアルゴリズムを図１１の高調波情報解析処理フローチャートに示し、解析対象となる系統の概念図を図１２に示す。
【００６０】
まず、図１２において、ＦＣＢは配電線の給電遮断器であり、この給電遮断器ＦＣＢの高調波データが計測されて遠方監視制御装置１０から配電系統監視装置１１に送られる。図中、ＳＷ１〜ＳＷ１０は常閉型の区分開閉器であり、特に二重四角で表示されているＳＷは解析単位区間を示している。この解析単位区間は必要に応じて任意に決められるものであるが、以下の説明では単に区間として表現する。また、ＳＷｔ１は他回線との連系用に設けられている常開型の区分開閉器である。そして、ＨＣは高調波発生機器所有顧客を示している。
【００６１】
さて、高調波情報解析処理フローチャート図１１において、配電線リストアップ処理（Ｓ１１０１）で、系統データベース１４に含まれる全系統の配電線数を求める。そして、全配電線数分以下の処理を繰り返す（Ｓ１１０２）。
【００６２】
すなわち、系統データベース１４から、当該配電線の所属開閉器／区間を取り出し、区間を求める（Ｓ１１０３）。次に、全ての区間について所属する開閉器数分、所属する開閉器情報に基づく高調波の基準値と区間毎高調波情報データ保存エリア３２の区間毎高調波情報データとを用いて比較し、区間毎高調波情報データが運用上の基準値の範囲内か判断する（Ｓ１１０４）（Ｓ１１０５）。この比較・判断の結果、基準値の範囲外の場合は、この結果と計測値データを解析結果データ保存エリア１８に保存する（Ｓ１１０６）。
【００６３】
そして、顧客高調波関連機器情報データベース３３を用いて、区間毎の解析結果データ保存エリア１８へ区間毎顧客高調波関連機器情報を保存する（Ｓ１１０７）。そして、この解析結果データ保存エリア１８の解析結果データを、解析対象とする系統の概念図（図１２）上に、顧客高調波関連機器情報Ｈｃと共に、表示装置２０に表示する。この場合の表示態様としては、さらに解析結果データを表示装置２０に表形式で表示してもよいし、また、運用上の基準波からの差に応じて区間を色分けして配電線路図上に表示することができる。。
【００６４】
この実施例によれば、区間毎高調波情報作成手段３１は、遠方監視制御装置１０から定周期に入力される各配電線の高調波測定値データを受け取り、系統データベース１４および顧客高調波関連機器情報データベース３３を参照し、区間毎の高調波情報を区間毎高調波情報データ保存エリア３２に保存する。そして、高調波解析手段３４により、区間毎高調波情報データ保存エリア３２の区間毎高調波情報データを、系統データベース１４に記憶される各区間の現在の系統構成上定まる高調波基準値と比較する。そして、区間毎高調波情報データが運用上の基準値の範囲内か判断し、そして、この解析結果データ保存エリア１８の解析結果を、解析対象とする系統の概念図上に、顧客高調波関連機器情報と共に、表示装置２０に表示する。従って、配電系統の高調波監視において、遠方監視制御装置１０から入力されるデータにより、単に高調波計測値のみを監視するのでなく、系統構成と高調波発生機器を有する顧客情報との関連を持たせた解析を行い、その解析結果に基づいて的確な対処を取ることができる。
【００６５】
図１３は本発明の第４の実施例に係る配電系統監視装置１１の構成図である。図１３において配電系統監視装置１１は、変電所，バンク，配電線，高圧線，開閉器，電圧調整器等の配電系統を構成する各機器の容量や接続状態を記憶する系統データベース１４と、この系統データベース１４を参照し、遠方監視制御装置１０から入力される配電線の負荷から、配電線に所属する各区間の負荷を区間負荷データ保存エリア１３に作成する区間負荷作成手段１２と、遠方監視制御装置１０から入力される配電線に所属する主要区間の電圧を区間電圧データ保存エリア４２に記憶する区間電圧作成手段４１と、系統データベース１４の系統構成と区間電圧データ保存エリア４２の区間電圧データから、現在の各区間電圧を解析する区間電圧解析手段４３と、この区間電圧解析手段４３により作成された区間電圧を保存する区間電圧解析データ保存エリア４４と、この区間電圧解析データ保存エリア４４の区間電圧解析データを表示装置２０に表示する区間電圧解析表示手段４５を有している。
【００６６】
区間負荷作成手段１２は、遠方監視制御装置１０から定周期に入力される各配電線の負荷データを受け取る。区間負荷データ１２は、系統データベース１４を参照し、当該配電線に所属する区間の標準負荷を取り出し、配電線の負荷データをその標準負荷で按分し、区間負荷データ保存エリア１３に保存する。
【００６７】
区間電圧作成手段４１は、遠方監視制御装置１０から定周期に入力される各配電線の主要開閉器の電圧データを受け取り、区間電圧データ保存エリア４２に保存する。ここで、配電線の主要開閉器とは、系統上の幹線が分岐する地点のうち分岐後の負荷が比較的大きい地点の各線路方向第１番目の開閉器、異回線との連系開閉器、及び電圧調整器設置地点の前後の開閉器などを意味する。
【００６８】
この区間電圧解析手段４３のアルゴリズムを図１４の区間電圧解析処理フローチャートを参照して説明する。
【００６９】
まず、配電線リストアップ処理Ｓ１４０１で、系統データベース１４に含まれる全系統の配電線数を求める。その全ての配電線について以下の処理を繰り返す（Ｓ１４０２）。すなわち、系統データベース１４から、当該配電線の開閉器／区間を求め（Ｓ１４０３）、全ての区間について電源側の開閉器を検索し、区間電圧データ保存エリア４２に格納された区間のうち最も近い区間をその開閉器の所属区間ブロックとする（Ｓ１４０４）。
【００７０】
区間ブロック単位に所属する区間の区間インピーダンスを系統データベース１４から取り出し、区間負荷データ保存エリア１３と区間電圧データ保存エリア４２を参照して、各区間の末端電圧を以下の式で算出する（Ｓ１４０６）。求める末端電圧をＶ、開閉器の計測電圧をＶ０、各末端までの経路における負荷側区間に１〜Ｎと番号を付けて、負荷側区間の通過電流をＩｉ、負荷側区間のインピーダンスをＲｉとすると、Ｖ＝ Ｖ０−Σ（Ｉｉ×Ｒｉ）、但しｉは１〜Ｎ、ΣはＩｉ×Ｒｉの総和を表す。この式における負荷側区間の通過電流Ｉｉとは、当該区間の負荷側区間の区間負荷データ（アンペア）の総和のことである。
【００７１】
このように算出した末端区間電圧を区間電圧解析データ保存エリア４４に保存し（Ｓ１４０７）、この処理を区間ブロック数分繰り返す（Ｓ１４０５）。
【００７２】
区間電圧解析表示手段４５は、以上のようにして得られた区間電圧解析データ保存エリア４４の区間電圧解析データを表示装置２０に、表形式で表示する。また、系統データベース１４に含まれる地図情報をもとに、区間電圧の運用基準電圧からの差により区間を色分けして配電線路図上に常に表示する。
【００７３】
この実施例によれば、系統データベース１４を参照し、遠方監視制御装置１０から入力される配電線の負荷から、配電線に所属する各区間の負荷を区間負荷データ保存エリア１３に作成する一方、遠方監視制御装置１０から入力される配電線に所属する主要区間の電圧データ４２を得る。そして、系統データベース１４の系統構成と区間電圧データ保存エリア４２の区間電圧データから、現在の各区間電圧を解析４３し、表示装置２０に表示する。従って、遠方監視制御装置１０から入力されるデータによる電圧監視のみでなく、現在の負荷状況、主要点の電圧、系統構成をも考慮して、各区間の電圧を運用基準電圧と比較監視することが出来、配電系統の監視、運用に極めて有効である。
【００７４】
図１５は本発明の第５の実施例に係る配電系統監視装置１１の構成図である。図１５において配電系統監視装置１１は、変電所，バンク，配電線，高圧線，開閉器，電圧調整器等の配電系統を構成する各機器の容量や接続状態を記憶する系統データベース１４と、この系統データベース１４を参照し、遠方監視制御装置１０から入力される配電線の負荷から当該配電線に所属する各区間の負荷、各開閉器の通過電流を負荷データ保存エリア５２に保存する負荷データ保存手段５１と、この負荷データ保存エリア５２と系統データベース１４をもとに各機器の負荷状態を解析し、解析結果データ保存エリア１８に保存する負荷解析手段５３と、この解析結果データ保存エリア１８の解析結果データを表示装置２０に表示する解析結果表示手段１９を有し、現在の系統の負荷に対する各機器の電気的な容量の余裕度を常に表示する。
【００７５】
負荷データ保存手段５１は、遠方監視制御装置１０から定周期に入力される各配電線及び開閉器の負荷データを受け取り、負荷データ保存エリア５２に保存する。負荷データは図１６に示すように構成される。この負荷データ保存エリア５２の更新は、負荷の変化があったもののみ更新し、更新したデータは、更新フラグをセットする。
【００７６】
負荷解析手段５３は、系統データベース１４と負荷データ保存エリア５２の更新されたデータから、機器毎に許容負荷をチェックし、その結果を解析結果データ保存エリア１８に保存する。この負荷解析は図１７のフローチャートに示されるように、当該配電線の機器数分（配電線、開閉器など）について、負荷データの更新があったか否かを更新フラグに基づいて判断し（Ｓ１７０２）、負荷データの更新があったものについて予備力計算を行う（Ｓ１７０３）。この予備力計算はその機器の許容負荷値と現在負荷値との差として計算され、この予備力の解析結果は図１８に示されるような形式で時系列（時刻、日、月毎）データとして保存される(Ｓ１７０４)。
【００７７】
また、解析結果表示手段１９は、解析結果データ保存エリア１８の解析結果データを基に、解析結果を表示装置２０に表示する。表示の態様としては、図１９に示されるように系統図への機器毎の予備力表示（例、６０Ａ、など）、予備力に応じた色替え、グラフ表示による機器毎の時系列による表示などを行うことができる。
【００７８】
この実施例によれば、系統データベース１４を参照し、遠方監視制御装置１０から入力される配電線の負荷から当該配電線に所属する各区間の負荷、各開閉器の通過電流を負荷データ保存エリア５２に保存し、この負荷データ保存エリア５２と系統データベース１４をもとに各機器の負荷状態を解析し、解析結果データ保存エリア１８に予備力（＝許容負荷値−現在負荷値）を得、現在の系統の負荷に対する各機器の電気的な容量の余裕度を常に表示する。従って、遠方監視制御装置１０から入力されるデータによる監視のみでなく、現在の負荷状況と系統構成をも考慮して予備力を的確に把握することができるから、配電系統の監視、運用に極めて有効である。
【００７９】
図２０は本発明の第６の実施例に係る配電系統監視装置１１の構成図である。図２０において配電系統監視装置１１は、変電所，バンク，配電線，高圧線，開閉器，電圧調整器等の配電系統を構成する各機器の容量や接続状態を記憶する系統データベース１４と、この系統データベース１４を参照し、遠方監視制御装置１０から入力される配電線の負荷から、配電線に所属する各区間の負荷を区間負荷データ保存エリア１３に作成する区間負荷作成手段１２と、配電系統において連系開閉器のない枝区間群とこの枝区間群への送電手順が作成不可となる事故発生区間を抽出する解析対象系統抽出手段１５と、この解析対象系統抽出手段１５により抽出された区間を記憶する解析対象系統データベース１６と、解析対象系統データベース１６に記憶された連系開閉器の無い枝区間群に対して、区間負荷データ保存エリア１３の区間負荷がある一定の基準を定めた負荷量以上となり、事故発生時に重大な供給支障となるかどうかを判定し、解析結果データ保存エリア１８に保存する系統解析手段１７と、解析結果データ保存エリア１８の解析結果を表示装置２０に表示する解析結果表示手段１９を有し、配電系統運用上、連系開閉器が無い枝区間群において一定の負荷以上になる場合、事故発生により送電出来なくなる枝区間群と事故区間を表示する機能を有している。
【００８０】
区間負荷作成手段１２は、遠方監視制御装置１０から定周期に入力される各配電線の負荷データを受け取り、かつ系統データベース１４を参照し、当該配電線に所属する区間の標準負荷を取り出し、配電線の負荷データをその標準負荷で按分し、区間負荷データ保存エリア１３に保存する。
【００８１】
解析対象系統抽出手段１５は、解析対象となる区間を抽出し、解析対象系統データベース１６に保存する。ここで、解析対象となる区間とは、系統上で事故発生時に機器の切替操作により事故区間以外の枝区間群への送電手順が作成不可となる事故発生区間と、枝区間群を意味する。その解析対象とする系統の概念図を図２１に示し、図中の破線で示す区間が事故発生区間で、太線で示す区間が枝区間群であり、細線で示す区間が解析対象外の区間である。なお、ＳＷ１〜ＳＷ８は常閉の区分開閉器を示し、ＳＷｔ１は他回線との連系用の常開の区分開閉器である。
【００８２】
さて、解析対象系統抽出手段１５のアルゴリズムを図２２の解析対象系統抽出処理フローチャートを参照して説明する。
【００８３】
まず、配電線リストアップ処理Ｓ２２０１で、系統データベース１４に含まれる全系統の配電線数を求める。その全ての配電線について、以下の処理を繰り返す（Ｓ２２０２）。
【００８４】
配電線に所属する開閉器及び区間を系統データベース１４より求め（Ｓ２２０３）、その開閉器数分以下の処理を行う（Ｓ２２０４）。当該開閉器が連系開閉器であった場合（Ｓ２２０５），当該開閉器の供給経路検索検索を実施する（Ｓ２２０６）。供給経路としてリストアップ（図２１の区間１，２，６，７，８が該当）された区間以外を、枝区間群（図２１の区間３，４，５，９が該当）とする（Ｓ２２０７）。
【００８５】
次に、枝区間群を停電させる事故区間を求める。供給経路の区間数分、以下の処理を行なう（Ｓ２２０８）。当該区間の系統データベース１４の接続情報を参照し（Ｓ２２０９）、負荷側に枝区間群がある場合、当該区間を事故発生区間（図２１の区間２，６が該当）とする（Ｓ２２１１）。このようにして（Ｓ２２０７）、（Ｓ２２１１）で求めた枝区間群と、事故発生区間を解析対象データベース１６に保存する（Ｓ２２１２）。
【００８６】
次に、系統解析手段１７は図２３に示す手順にて解析系統対象データベース１６に保存される全ての事故発生区間（区間２，６）に対して、以下の処理を行う（Ｓ２３０１）。当該区間（区間２）を、仮に事故区間に設定し、その負荷側を停電区間とした系統状態を作成し，当該区間の負荷側停電区間群を求める（Ｓ２３０２）。負荷側停電区間に連系開閉器ＳＷｔ１が接続されている場合（Ｓ２３０３）、区間負荷データ保存エリア１３を参照して負荷側停電区間の区間負荷の総和を求め、算出した負荷量の総和がある一定の基準を定めた負荷量条件以上となる区間を抽出する（Ｓ２３０４）。その結果を、解析結果データ保存エリア１８に保存する（Ｓ２３０５）。
【００８７】
解析結果表示手段１９は、解析結果データ保存エリア１８の解析結果を表示装置２０に表形式で表示する。また、系統データベース１４に含まれる地図情報を元に、解析結果データ保存エリア１８における枝区間と事故発生区間を配電線路図上に常に表示する。
【００８８】
この実施例によれば、この系統データベース１４を参照し、遠方監視制御装置１０から入力される配電線の負荷から、配電線に所属する各区間の負荷を区間負荷データ保存エリア１３に作成し、配電系統において連系開閉器のない枝区間群とこの枝区間群への送電手順が作成不可となる事故発生区間を抽出１５する。この解析対象系統抽出手段１５により抽出された区間を記憶１６し、記憶された連系開閉器の無い枝区間群に対して、区間負荷データ保存エリア１３の区間負荷がある一定の基準を定めた負荷量以上となり、事故発生時に重大な供給支障となるかどうかを解析１７する。この解析結果データ保存エリア１８の解析結果を表示装置２０に表示する解析結果表示手段１９を有している。従って、配電系統運用上、連系開閉器が無い枝区間群において一定の負荷以上になる場合、事故発生により送電出来なくなる枝区間群と事故区間を表示するから、現在の負荷状況と系統構成をも考慮して予備力を的確に把握することができ、配電系統の監視、運用に極めて有効である。
【００８９】
図２４は本発明の第７の実施例に係る配電系統監視装置１１の構成図である。図２４において配電系統監視装置１１は、変電所，バンク，配電線，高圧線，開閉器，電圧調整器等の配電系統を構成する各機器の容量や接続状態を記憶する系統データベース１４と、この系統データベース１４を参照し、遠方監視制御装置１０から入力される配電線の負荷から、配電線に所属する各区間の負荷を区間負荷データ保存エリア１３に作成する区間負荷作成手段１２と、想定した事故発生区間を表示装置２０よりオペレータが任意に設定し、事故区間設定データ保存エリア２２に保存する事故区間設定手段２１と、連系開閉器のない枝区間群を抽出する解析対象系統抽出手段１５と、解析対象系統抽出手段１５により抽出された枝区間群と事故区間設定データ保存エリア２２の事故区間を記憶する解析対象系統データベース１６と、解析対象系統データベース１６に記憶された連系開閉器の無い枝区間群に対して、区間負荷データ保存エリア１３の区間負荷がある一定の基準を定めた負荷量以上となり、事故発生時に重大な供給支障となるかどうかを判定し、解析結果データ保存エリア１８に保存する系統解析手段１７と、解析結果データ保存エリア１８の解析結果を表示装置２０に表示する解析結果表示手段１９を有し、配電系統運用上、連系開閉器が無い枝区間群で一定の負荷以上になった場合、事故発生により送電出来なくなる枝区間群と任意に想定した事故区間を表示する。
【００９０】
区間負荷作成手段１２は、遠方監視制御装置１０から定周期に入力される各配電線の負荷データを受け取り、系統データベース１４を参照し、当該配電線に所属する区間の標準負荷を取り出し、配電線の負荷データをその標準負荷で按分し、区間負荷データ保存エリア１３に保存する。
【００９１】
事故区間設定手段２１は表示装置２０よりオペレータが任意に想定した事故区間を事故区間設定データ保存エリア２２に保存する。
【００９２】
解析対象系統抽出手段１５は、系統データベース１４と想定した事故区間を保存する事故区間設定データ保存エリア２２をもとに解析対象となる区間を抽出し、解析対象系統データベース１６に保存する。ここで、解析対象となる区間とは、想定した事故区間で事故が発生したときに機器の切替操作により事故区間以外の枝区間群への送電手順が作成不可となる枝区間群を意味する。その解析対象とする系統の概念図は前述の図２１に示したものと同じである。
【００９３】
解析対象系統抽出手段１５のアルゴリズムを図２５に示す。まず、配電線リストアップ処理Ｓ２５０１で、系統データベース１４に含まれる全系統の配電線から事故区間設定データ保存エリア２２の想定した事故区間が所属する配電線を求める。求めた配電線に所属する全ての開閉器及び区間を系統データベース１４より求める（Ｓ２５０２）。その全ての開閉器について、以下の処理を行う（Ｓ２５０３）。
【００９４】
当該開閉器が連系開閉器であった場合（Ｓ２５０４），当該開閉器の供給経路検索検索を実施する（Ｓ２５０５）。供給経路としてリストアップ（図２１の区間１，２，６，７，８が該当）された区間以外を、枝区間群（図２１の区間３，４，５，９が該当）とする（Ｓ２５０６）。
【００９５】
次に、枝区間群を停電させる事故区間を求める。供給経路の区間数分、以下の処理を行なう（Ｓ２５０７）。当該区間の系統データベース１４の接続情報を参照し（Ｓ２５０８）、負荷側に枝区間群がある場合（Ｓ２５０９）、当該区間（図２１の区間２，６が該当）が事故区間設定データ保存エリア２２の想定した事故区間である場合（Ｓ２５１０）、供給経路検索にて検出された区間以外を枝区間群とする処理（Ｓ２５０６）で求めた枝区間群と、想定した事故区間を解析対象データベース１６に保存する（Ｓ２５１１）。
【００９６】
次に、系統解析手段１７は図２６に示す手順にて解析系統対象データベース１６に保存される想定した事故区間を仮に事故区間に設定し、その負荷側を停電区間とした系統状態を作成し，当該区間の負荷側停電区間群を求める（Ｓ２６０１）。
【００９７】
負荷側停電区間に連系開閉器が接続されている場合（Ｓ２６０２）、区間負荷データ保存エリア１３を参照して負荷側停電区間の区間負荷の総和を求め、算出した負荷量の総和がある一定の基準を定めた負荷量条件以上となる区間を抽出する（Ｓ２６０３）。その結果を、解析結果データ保存エリア１８に保存する（Ｓ２６０４）。
【００９８】
解析結果表示手段１９は、解析結果データ保存エリア１８の解析結果を表示装置２０に表形式で表示する。また、系統データベース１４に含まれる地図情報を元に、解析結果データ保存エリア１８における枝区間と想定した事故区間を配電線路図上に表示する。
【００９９】
この実施例によれば、この系統データベース１４を参照し、遠方監視制御装置１０から入力される配電線の負荷から、配電線に所属する各区間の負荷を区間負荷データ保存エリア１３に作成し、想定した事故発生区間を表示装置２０よりオペレータが任意に設定し、事故区間設定データ保存エリア２２に保存すると共に、連系開閉器のない枝区間群を抽出１５する。そして、連系開閉器の無い枝区間群に対して、区間負荷データ保存エリア１３の区間負荷がある一定の基準を定めた負荷量以上となり、事故発生時に重大な供給支障となるかどうかを判定し、解析結果データ保存エリア１８に保存し、表示装置２０に表示する。従って、オペレータが任意に設定した事故区間に基づいて、連系開閉器が無い枝区間群において一定の負荷以上になる場合、事故発生により送電出来なくなる枝区間群と事故区間を表示するから、現在の負荷状況と系統構成をも考慮して予備力を的確に把握することができ、配電系統の監視、運用に極めて有効である。
【０１００】
図２７は本発明の第８の実施例に係る配電系統監視装置１１の構成図である。図２７において配電系統監視装置１１は、各開閉器の標準入切状態を含む、配電系統を構成する各機器（変電所，バンク，配電線，高圧線，開閉器，電圧調整器等）の容量や接続状態を記憶する系統データベース１４と、系統データベース１４より各配電線同士を連系する標準状態で切状態の連系開閉器を抽出し、その連系開閉器の両端区間を供給する各配電線の所属バンクの上位系統を検索し、各配電線の連系開閉器毎に当該連系開閉器が異バンク間の連系開閉器かどうかをチェックし、解析結果データ保存エリア１８に保存する系統解析手段１７と、この解析結果データ保存エリア１８の解析結果を表示装置２０に表示する解析結果表示手段１９を有する。
【０１０１】
系統解析手段１７は、解析対象となる開閉器を抽出し、解析結果データ保存エリア１８に保存する。ここで、解析対象となる開閉器とは、系統上で配電線同士を連系させる標準切状態の開閉器かつ当該開閉器の両端供給配電線の所属配電線及び変電所を求め，両端の供給バンクが異なる開閉器である。その解析対象とする系統の概念図を図２８に示す。図２８において、系統状態は標準の運用状態であり、ＳＷ１〜ＳＷ７が常閉の区分開閉器であり、ＳＷｔ１及びＳＷｔ２が常開の連系開閉器であり、この連系開閉器ＳＷｔ１，ＳＷｔ２が解析対象開閉器である。
【０１０２】
系統解析手段１７における抽出アルゴリズムを図２９の解析対象系統抽出処理フローチャートに示す。
【０１０３】
まず、配電線リストアップ処理（Ｓ２９０１）で、系統データベース１４に含まれる全系統の配電線数を求める。その配電線数分以下の処理を繰り返す（Ｓ２９０２）。配電線に所属する開閉器及び区間を系統データベース１４より求める（Ｓ２９０３）。その開閉器数分以下の処理を行う（Ｓ２９０４）。当該開閉器が連系開閉器であった場合，当該開閉器両端の供給経路を検索し供給配電線を求める（Ｓ２９０５）。該当連系開閉器の両端の供給配電線所属バンクの上位系統が異なる場合，解析結果データ保存エリア１８に保存する（Ｓ２９０６）。
【０１０４】
解析結果表示手段１９は、解析結果データ保存エリア１８の解析結果を表示装置２０に表形式で表示する。また、系統データベース１４に含まれる地図情報を元に、配電線路図上に解析結果データ保存エリア１８に含まれる開閉器を色を変えて表示する。
【０１０５】
この実施例によれば、系統データベース１４より各配電線同士を連系する標準状態で切状態の連系開閉器を抽出し、その連系開閉器の両端区間を供給する各配電線の所属バンクの上位系統を検索し、各配電線の連系開閉器毎に当該連系開閉器が異バンク間の連系開閉器かどうかをチェックし、解析結果データ保存エリア１８に保存する。そして、この解析結果データ保存エリア１８の解析結果に基づいて、各連系開閉器が異バンク間のものであるかどうかを表示装置２０に表示する。従って、常時は開放されている連系開閉器の投入時の影響を把握することができ、配電系統の監視、運用に極めて有効である。
【０１０６】
図３０は本発明の第９の実施例に係る配電系統監視装置１１の構成図である。図３０において、各開閉器の標準入切状態を含む、配電系統を構成する各機器（変電所，バンク，配電線，高圧線，開閉器，電圧調整器等）の容量や接続状態を記憶する系統データベース１４と、オペレータが表示装置２０から設定した連系開閉器を連系開閉器設定データ保存エリア９２に保存する連系開閉器設定手段９１と、系統データベース１４より各配電線同士を連系する標準状態で切状態の連系開閉器を抽出し、その抽出した連系開閉器と連系開閉器設定データ保存エリア９２に保存された連系開閉器が同一なとき、連系開閉器の両端区間を供給する各配電線の所属バンクの上位系統を検索し、各配電線の連系開閉器毎に当該連系開閉器が異バンクとの連系開閉器かどうかをチェックし、解析結果データ保存エリア１８に保存する系統解析手段１７と、解析結果データ保存エリア１８の解析結果を表示装置２０に表示する解析結果表示手段１９を有する。
【０１０７】
系統解析手段１７は、オペレータが表示装置２０から設定し、連系開閉器設定データ保存エリア９２に保存されている連系開閉器が解析対象となるか否かを判断し、解析対象ならば当該連系開閉器を解析結果データ保存エリア１８に保存する。ここで、解析対象となる開閉器とは、系統上で配電線どうしを連系させる標準切状態の開閉器かつ当該開閉器の両端供給配電線の所属配電線及び変電所を求め，両端の供給バンクが異なる開閉器である。その解析対象とする系統の概念図は前述の図２８と同じである。
【０１０８】
系統解析手段１７における抽出アルゴリズムを図３１の解析対象系統抽出処理フローチャートに示す。
【０１０９】
まず、配電線リストアップ処理（Ｓ３１０１）で、系統データベース１４に含まれる全系統の配電線数を求める。その配電線数分以下の処理を繰り返す（Ｓ３１０２）。配電線に所属する開閉器及び区間を系統データベース１４より求める（Ｓ３１０３）。その開閉器数分以下の処理を行う（Ｓ３１０４）。当該開閉器が連系開閉器設定データ保存エリア９２に保存する連系開閉器であった場合，当該開閉器両端の供給経路を検索し供給配電線を求める（Ｓ３１０５）。該当連系開閉器の両端の供給配電線所属バンクの上位系統が異なる場合，解析結果データ保存エリア１８に保存する（Ｓ３１０６）。
【０１１０】
解析結果表示手段１９は、解析結果データ保存エリア１８の解析結果を表示装置２０に表形式で表示する。また、系統データベース１４に含まれる地図情報を元に、配電線路図上に解析結果データ保存エリア１８に含まれる開閉器を色を変えて表示する。
【０１１１】
この実施例によれば、オペレータが表示装置２０から設定した連系開閉器を連系開閉器設定データ保存エリア９２に保存９１する。系統データベース１４より各配電線同士を連系する標準状態で切状態の連系開閉器を抽出し、その抽出した連系開閉器と連系開閉器設定データ保存エリア９２に保存された連系開閉器が同一なとき、連系開閉器の両端区間を供給する各配電線の所属バンクの上位系統を検索し、各配電線の連系開閉器毎に当該連系開閉器が異バンクとの連系開閉器かどうかをチェックし、解析結果データ保存エリア１８に保存する。そしてこの解析結果データ保存エリア１８の解析結果に基づいて、各連系開閉器が異バンク間のものであるかどうかを表示装置２０に表示する。従って、オペレータが任意に設定した連系開閉器が異バンク間のものであるかどうかを表示するから、常時は開放されている連系開閉器の投入時の影響を把握することができ、配電系統の監視、運用に極めて有効である。
【０１１２】
図３２は本発明の第１０の実施例に係る配電系統監視装置１１の構成図である。同図において、配電系統監視装置１１は、遠方監視制御装置１０と接続されており、遠方監視制御装置１０から入力される開閉器情報から、開閉器現在入切状態データを作成し開閉器現在入切状態データ保存エリア１０２に保存する開閉器現在入切状態作成手段１０１と、配電系統を構成する各機器（変電所，バンク，配電線，高圧線，開閉器，電圧調整器等）の容量や接続状態を記憶する系統データベース１４と、系統データベース１４と開閉器現在入切状態データ保存エリア１０２より各配電線同士を連系する現在切状態の連系開閉器を抽出し、その連系開閉器の両端区間に供給する各配電線の所属バンクの上位系統を検索し、各配電線の連系開閉器毎に当該連系開閉器が異バンクとの連系開閉器かどうかをチェックし、解析結果データ保存エリア１８に保存する系統解析手段１７と、解析結果データ保存エリア１８の解析結果を表示装置２０に表示する解析結果表示手段１９を有している。
【０１１３】
系統解析手段１７は、解析対象となる開閉器を抽出し、解析結果データ保存エリア１８に保存する。ここで、解析対象となる開閉器とは、系統上で配電線同士を連系させる現在「切」状態の開閉器かつ当該開閉器の両端供給配電線の所属配電線及び変電所を求め，両端の供給バンクあるいは変電所が異なる開閉器である。その解析対象とする系統の概念図を図３３に示す。図３３において、ＳＷ１〜ＳＷ７が常閉の区分開閉器であり、ＳＷｔ１〜ＳＷｔ３が常開の連系開閉器である。この図では、常閉開閉器ＳＷ７が開放状態、常開の連系開閉器ＳＷｔ３が閉成状態にあり、この常閉開閉器ＳＷ７と連系開閉器ＳＷｔ３が解析対象開閉器である。なお、図中、解析対象開閉器が太線で示され、解析対象外の開閉器が細線で示されている。
【０１１４】
系統解析手段の抽出アルゴリズムを図３４の解析対象系統抽出処理フローチャートに示す。
【０１１５】
まず、配電線リストアップ処理Ｓ３４０１で、系統データベース１４に含まれる全系統の配電線数を求める。その全ての配電線について、以下の処理を繰り返す（Ｓ３４０２）。配電線所属開閉器及び区間を系統データベース１４より求める（Ｓ３４０３）。その開閉器数分以下の処理を行う（Ｓ３４０４）。当該開閉器が現在切開閉器であった場合，当該開閉器両端の供給経路を検索し供給配電線を求める（Ｓ３４０５）。該当連系開閉器の両端の供給配電線所属バンクの上位系統が異なる場合，解析結果データ保存エリア１８に保存する（Ｓ３４０６）。
【０１１６】
解析結果表示手段１９は、解析結果データ保存エリア１８の解析結果を表示装置２０に表形式で表示する。また、系統データベース１４に含まれる地図情報を元に、配電線路図上に解析結果データ保存エリア１８に含まれる開閉器を色を変えて表示する。
【０１１７】
この実施例によれば、遠方監視制御装置１０から入力される開閉器情報から、開閉器現在入切状態データを作成し、開閉器現在入切状態データ保存エリア１０２に記憶する。そして、配電系統を構成する各機器の容量や接続状態を記憶する系統データベース１４と開閉器現在入切状態データ保存エリア１０２より各配電線同士を連系する現在切状態の連系開閉器を抽出し、その連系開閉器の両端区間に供給する各配電線の所属バンクの上位系統を検索し、各配電線の連系開閉器毎に当該連系開閉器が異バンクとの連系開閉器かどうかをチェックし、解析結果データ保存エリア１８に保存する。そして、この解析結果データ保存エリア１８の解析結果に基づいて、各連系開閉器が異バンクとの連系開閉器かどうかを表示装置２０に表示する。従って、切状態開閉器の投入時の影響を把握することができ、配電系統の監視、運用に極めて有効である。
【０１１８】
図３５は本発明の第１１の実施例に係る配電系統監視装置１１の構成図である。図３５において配電系統監視装置１１は、遠方監視制御装置１０と接続されており、遠方監視制御装置１０から入力される開閉器情報から、開閉器現在入切状態データを作成する開閉器現在入切状態作成手段１０１と、開閉器の現在入切状態を記憶する開閉器現在入切状態データ保存エリア１０２と、配電系統を構成する各機器（変電所，バンク，配電線，高圧線，開閉器，電圧調整器等）の容量や接続状態を記憶する系統データベース１４と、オペレータが表示装置２０から設定した連系開閉器を連系開閉器設定データ保存エリア９２に保存する連系開閉器設定手段９１と、系統データベース１４と開閉器現在入切状態データ保存エリア１０２より各配電線同士を連系する現在切状態の連系開閉器を抽出し、抽出した連系開閉器が連系開閉器設定データ保存エリア９２に保存されている連系開閉器と同一なとき、連系開閉器の両端区間に供給する各配電線の所属バンクの上位系統を検索し、各配電線の連系開閉器毎に当該連系開閉器が異バンクとの連系開閉器かどうかをチェックし、解析結果データ保存エリア１８に保存する系統解析手段１７と、解析結果データ保存エリア１８の解析結果を表示装置２０に表示する解析結果表示手段１９とを有している。
【０１１９】
系統解析手段１７は、オペレータが表示装置２０から設定し、連系開閉器設定データ保存エリア９２に保存されている連系開閉器が解析対象か否かを判断し、解析対象ならば当該連系開閉器を解析結果データ保存エリア１８に保存する。ここで、解析対象となる開閉器とは、系統上で配電線同士を連系させる現在「切」状態の開閉器かつ当該開閉器の両端供給配電線の所属配電線及び変電所を求め，両端の供給バンクあるいは変電所が異なる開閉器である。その解析対象とする系統の概念図は前述の図３３に示したものと同じである。
【０１２０】
系統解析手段の抽出アルゴリズムを図３６の解析対象系統抽出処理フローチャートに示す。
【０１２１】
まず、配電線リストアップ処理Ｓ３６０１で、系統データベース１４に含まれる全系統の配電線数を求める。その全ての配電線について、以下の処理を繰り返す（Ｓ３６０２）。配電線所属開閉器及び区間を系統データベース１４より求める（Ｓ３６０３）。その開閉器数分以下の処理を行う（Ｓ３６０４）。当該開閉器が連系開閉器設定データ保存エリア９２に保存されている連系開閉器でしかも現在切開閉器であった場合，当該開閉器両端の供給経路を検索し供給配電線を求める（Ｓ３６０５）。該当連系開閉器の両端の供給配電線所属バンクの上位系統が異なる場合，解析結果データ保存エリア１８に保存する（Ｓ３６０６）。
【０１２２】
解析結果表示手段１９は、解析結果データ保存エリア１８の解析結果を表示装置２０に表形式で表示する。また、系統データベース１４に含まれる地図情報を元に、配電線路図上に解析結果データ１８に含まれる開閉器を色を変えて表示する。
【０１２３】
この実施例によれば、遠方監視制御装置１０から入力される開閉器情報から、開閉器現在入切状態データを作成し、開閉器現在入切状態データ保存エリア１０２に記憶し、また、配電系統を構成する各機器の容量や接続状態を記憶する系統データベース１４と、オペレータが表示装置２０から設定した連系開閉器を連系開閉器設定データ保存エリア９２に保存する。そして、系統データベース１４と開閉器現在入切状態データ保存エリア１０２より各配電線同士を連系する現在切状態の連系開閉器を抽出し、抽出した連系開閉器が連系開閉器設定データ保存エリア９２に保存されている連系開閉器と同一なとき、連系開閉器の両端区間に供給する各配電線の所属バンクの上位系統を検索し、各配電線の連系開閉器毎に当該連系開閉器が異バンクとの連系開閉器かどうかをチェックし、解析結果データ保存エリア１８に保存する。そして、この解析結果データ保存エリア１８の解析結果に基づいて、各連系開閉器が異バンクとの連系開閉器かどうかを表示装置２０に表示する。従って、オペレータが任意に設定した、切状態開閉器の投入時の影響を把握することができ、配電系統の監視、運用に極めて有効である。
【図面の簡単な説明】
【０１２４】
【図１】本発明の第１の実施例に係る配電系統監視装置の構成図。
【図２】解析対象系統の概念図。
【図３】解析対象区間抽出処理フローチャート。
【図４】全連系開閉器リストアップ処理。
【図５】系統解析手段のアルゴリズム。
【図６】手順作成処理の概念図。
【図７】本発明の第２の実施例に係る配電系統監視装置の構成図。
【図８】系統解析手段のアルゴリズム。
【図９】手順作成処理の概念図。
【図１０】本発明の第３の実施例に係る配電系統監視装置の構成図。
【図１１】高調波情報解析処理フローチャート。
【図１２】解析対象系統の概念図。
【図１３】本発明の第４の実施例に係る配電系統監視装置の構成図。
【図１４】区間電圧解析処理フローチャート。
【図１５】本発明の第５の実施例に係る配電系統監視装置の構成図。
【図１６】負荷データ構成図。
【図１７】負荷解析手段処理フローチャート。
【図１８】解析結果データ構成図。
【図１９】系統図への予備力表示例図。
【図２０】本発明の第６の実施例に係る配電系統監視装置の構成図。
【図２１】解析対象系統の概念図。
【図２２】解析対象系統抽出処理フローチャート。
【図２３】系統解析手段のアルゴリズム。
【図２４】本発明の第７の実施例に係る配電系統監視装置の構成図。
【図２５】解析対象抽出処理フローチャート。
【図２６】系統解析手段のアルゴリズム。
【図２７】本発明の第８の実施例に係る配電系統監視装置の構成図。
【図２８】解析対象系統の概念図。
【図２９】解析対象系統抽出処理フローチャート。
【図３０】本発明の第９の実施例に係る配電系統監視装置の構成図。
【図３１】解析対象系統抽出処理フローチャート。
【図３２】本発明の第１０の実施例に係る配電系統監視装置の構成図。
【図３３】解析対象系統の概念図。
【図３４】解析対象系統抽出処理フローチャート。
【図３５】本発明の第１１の実施例に係る配電系統監視装置の構成図。
【図３６】解析対象系統抽出処理フローチャート。
【図３７】従来の配電系統監視装置の構成図。
【符号の説明】
【０１２５】
１０ 遠方監視制御装置
１１…配電系統監視装置
１２…区間負荷作成手段
１３…区間負荷データ保存エリア
１４…系統データベース
１５…解析対象系統抽出手段
１６…解析対象系統データベース
１７…系統解析手段
１８…解析結果データ保存エリア
１９…解析結果表示手段
２０…表示装置
２１…事故区間設定手段
２２…事故区間設定データ保存エリア
３１…区間毎高調波情報作成手段
３２…区間毎高調波情報データ保存エリア
３３…顧客高調波関連機器情報データベース
３４…高調波解析手段
４１…区間電圧作成手段
４２…区間電圧データ保存エリア
４３…区間電圧解析手段
４４…区間電圧解析データ保存エリア
４５…区間電圧解析表示手段
５１…負荷データ保存手段
５２…負荷データ保存エリア
５３…負荷解析手段
６１…系統状態データ保存エリア
９１…連系開閉器設定手段
９２…連系開閉器設定データ保存エリア
１０１…開閉器現在入切状態作成手段
１０２…開閉器現在入切状態データ保存エリア
３７１…系統監視手段
【図１】
2006333699.tif 000003
【図２】
2006333699.tif 000004
【図３】
2006333699.tif 000005
【図４】
2006333699.tif 000006
【図５】
2006333699.tif 000007
【図６】
2006333699.tif 000008
【図７】
2006333699.tif 000009
【図８】
2006333699.tif 000010
【図９】
2006333699.tif 000011
【図１０】
2006333699.tif 000012
【図１１】
2006333699.tif 000013
【図１２】
2006333699.tif 000014
【図１３】
2006333699.tif 000015
【図１４】
2006333699.tif 000016
【図１５】
2006333699.tif 000017
【図１６】
2006333699.tif 000018
【図１７】
2006333699.tif 000019
【図１８】
2006333699.tif 000020
【図１９】
2006333699.tif 000021
【図２０】
2006333699.tif 000022
【図２１】
2006333699.tif 000023
【図２２】
2006333699.tif 000024
【図２３】
2006333699.tif 000025
【図２４】
2006333699.tif 000026
【図２５】
2006333699.tif 000027
【図２６】
2006333699.tif 000028
【図２７】
2006333699.tif 000029
【図２８】
2006333699.tif 000030
【図２９】
2006333699.tif 000031
【図３０】
2006333699.tif 000032
【図３１】
2006333699.tif 000033
【図３２】
2006333699.tif 000034
【図３３】
2006333699.tif 000035
【図３４】
2006333699.tif 000036
【図３５】
2006333699.tif 000037
【図３６】
2006333699.tif 000038
【図３７】
2006333699.tif 000039